(57)【要約】【課題】  クリーニングを要する床材に形成された微細な傷に入り込んだ汚れを効率よく洗浄し、新製品と同等の美観を回復させ、床材として再利用可能にする点にある。【解決手段】  敷設された床材を回収して（Ｓ３）収納籠に収納（Ｓ５）し、前記収納籠を内籠とする超音波洗浄装置を用いて前記床材を超音波で洗浄し（Ｓ１１）、次いで、濯ぎ（Ｓ１３）、乾燥（Ｓ１５）、コーティング（Ｓ１７）を行い、新品同等の美観に回復させ再レンタル（Ｓ２２）を可能にする。【選択図】    図１６
2005324136.tif 000002
【特許請求の範囲】
【請求項１】
敷設された床材を回収して、超音波洗浄装置を用いて前記床材を洗浄し、再利用可能にすることを特徴とした床材のメンテナンス方法。
【請求項２】
前記超音波洗浄装置の超音波洗浄槽内に設置された収納籠に、回収した前記床材を間隔をおいて保持させ、前記収納籠ごと超音波洗浄することを特徴とする請求項１記載の床材のメンテナンス方法。
【請求項３】
敷設されたレンタル床材を回収して、超音波洗浄装置を用いて前記レンタル床材を洗浄し、再レンタル可能にすることを特徴とした床材のレンタル方法。
【請求項４】
前記超音波洗浄装置の超音波洗浄槽内に設置された収納籠に、回収した前記レンタル床材を間隔をおいて保持させ、前記収納籠ごと超音波洗浄することを特徴とする請求項３記載のレンタル床材のメンテナンス方法。
【請求項５】
回収した後に超音波洗浄されて再利用可能とされる床材を収納する収納籠であって、
収納籠本体の底部内側に複数枚の床材を相互に間隔をおいて保持するための保持部を備えたことを特徴とする収納籠。
【請求項６】
請求項５記載の収納籠を超音波洗浄槽の内籠として設置したことを特徴とする超音波洗浄装置。
【請求項７】
敷設場所から回収したレンタル床材を超音波洗浄する床材洗浄手段と、
前記レンタル床材に付着した洗浄液を洗い流す洗浄液洗浄手段と、
前記レンタル床材を乾燥させる床材乾燥手段と、
前記レンタル床材の表面にコーティングを施して再レンタル可能な状態とする床材コーティング手段とを備えることを特徴とするレンタル床システム。
【請求項８】
複数の前記レンタル床材を請求項５記載の収納籠に収納して超音波洗浄を行い、前記収納籠ごと洗浄液を洗い流した後乾燥させることを特徴とする請求項７記載のレンタル床システム。
【請求項９】
レンタル床材に文字、図形、記号、若しくはこれらの結合またはこれらと色彩との結合からなる所定のデザインをプリントするデザイン印刷手段を備えることを特徴とする請求項７または請求項８記載のレンタル床システム。
【請求項１０】
レンタル床材に文字、図形、記号、若しくはこれらの結合またはこれらと色彩との結合からなる所定のデザインをプリントし、その表面にコーティングを施した上でレンタル先に敷設し、後に前記レンタル先より回収したレンタル床材を超音波洗浄によって無地の状態に戻し、デザインの書換えを行い、デザイン書換え後のレンタル床材を前記レンタル先あるいは他のレンタル先に再レンタルすることを特徴とする床材のレンタル方法。
【発明の詳細な説明】
【技術分野】
【０００１】
この発明は、床材のメンテナンス方法、床材のレンタル方法、レンタル床システム及びこれらに好適な収納籠及び超音波洗浄装置に関する。
【背景技術】
【０００２】
近年、オフィスや店舗等の床部には、その一面に塩化ビニル等の合成樹脂床材が敷設されており、この床材は接着剤等で床下躯体面に貼り付けて剥がれないようにしてある。床材が汚れると、通常床材の上に直接洗浄液を吹き付けながらモップ等で擦るか、ワックスを表面に塗るなどして保護膜を形成し、汚損や損耗から保護している。
ところで、時世柄、環境に配慮して置敷式の床材が用いられるようになってきた（例えば特許文献１参照）。これは複数の床材を、接着剤を使用せずに床下躯体面に置くことにより、汚損が生じた床材を床下躯体面から取り外し、洗浄、交換するというものである。これにより、洗浄作業の短時間化、現場での補修作業の容易化が実現できる。
【特許文献１】特開２００３−１８４２７８号公報
【発明の開示】
【発明が解決しようとする課題】
【０００３】
汚損した上記置敷式の床材の洗浄方法においても、置敷したまま回収せずに床材をブラシ等で洗い流す方法が用いられている。しかしながら、これら床材の表面は常に靴類で踏歩されているので、靴底等の衝撃や摩擦により損傷が生じ易い。その結果、床材に微細な傷が形成され、その中に汚れが詰まってしまうと、汚れをブラシ等で洗い流すことは困難であった。そのため、床材を床下地面から回収して表面を研磨する場合もあるが、手間やコストもかかるため床材のメンテナンスやレンタル床システムの確立が困難であるという問題があった。
【０００４】
そこで、この発明が解決しようとする課題は、クリーニングを要する床材に形成された微細な傷に入り込んだ汚れを効率よく洗浄し、新製品と同等の美観を回復させ、床材として再利用可能にする点にある。
【課題を解決するための手段】
【０００５】
上記の課題を解決するために、この発明は以下の手段を提供している。
請求項１に記載した発明は、敷設された床材を回収して、超音波洗浄装置を用いて前記床材を洗浄し、再利用可能にすることを特徴とする。
【０００６】
請求項２に記載した発明は、請求項１記載の床材のメンテナンス方法において、
前記超音波洗浄装置の超音波洗浄槽内に設置された収納籠に、回収した前記床材を間隔をおいて保持させ、前記収納籠ごと超音波洗浄することを特徴とする。
【０００７】
請求項３に記載した発明は、敷設されたレンタル床材を回収して、超音波洗浄装置を用いて前記レンタル床材を洗浄し、再レンタル可能にすることを特徴とする。
【０００８】
請求項４に記載した発明は、請求項３記載の床材のレンタル方法において、
前記超音波洗浄装置の超音波洗浄槽内に設置された収納籠に、回収した前記レンタル床材を間隔をおいて保持させ、前記収納籠ごと超音波洗浄することを特徴とする。
【０００９】
請求項５に記載した発明は、回収した後に超音波洗浄されて再利用可能とされる床材を収納する収納籠であって、
収納籠本体の底部内側に複数枚の床材を相互に間隔をおいて保持するための保持部を備えたことを特徴とする。
【００１０】
請求項６に記載した発明は、請求項５記載の収納籠を超音波洗浄槽の内籠として設置したことを特徴とする。
【００１１】
請求項７に記載した発明は、
敷設場所から回収したレンタル床材を超音波洗浄する床材洗浄手段と、
前記レンタル床材に付着した洗浄液を洗い流す洗浄液洗浄手段と、
前記レンタル床材を乾燥させる床材乾燥手段と、
前記レンタル床材の表面にコーティングを施して再レンタル可能な状態とする床材コーティング手段とを備えることを特徴とする。
【００１２】
請求項８に記載した発明は、請求項７記載のレンタル床システムにおいて、
複数の前記レンタル床材を請求項５記載の収納籠に収納して超音波洗浄を行い、前記収納籠ごと洗浄液を洗い流した後乾燥させることを特徴とする。
【００１３】
請求項９に記載した発明は、請求項７または請求項８記載のレンタル床システムにおいて、
レンタル床材に文字、図形、記号、若しくはこれらの結合またはこれらと色彩との結合からなる所定のデザインをプリントするデザイン印刷手段を備えることを特徴とする。
【００１４】
請求項１０に記載した発明は、
レンタル床材に文字、図形、記号、若しくはこれらの結合またはこれらと色彩との結合からなる所定のデザインをプリントし、その表面にコーティングを施した上でレンタル先に敷設し、後に前記レンタル先より回収したレンタル床材を超音波洗浄によって無地の状態に戻し、デザインの書換えを行い、デザイン書換え後のレンタル床材を前記レンタル先あるいは他のレンタル先に再レンタルすることを特徴とする。
【発明の効果】
【００１５】
本発明の床材のメンテナンス方法によれば、床材を超音波で洗浄するので、掃除用具等で床材に傷をつけることなく微細な傷に入り込んだ汚れを効率的に落とすことができる。よって、床材の耐用年数が向上するとともに、使用済みの床材を短時間で新品同等の美観に回復することができる。また、床材を適宜間隔に保持して洗浄するので、洗浄槽内での床材同士の密着を防止することができ、洗浄ムラを防ぐことができる。以上により、床材を高品質かつ、安定的にメンテナンスすることが可能となる。
【００１６】
本発明の床材のレンタル方法によれば、レンタル床材を超音波で洗浄するので、掃除用具等で床材に傷をつけることなく、微細な傷に入り込んだ汚れを効率的に落とすことができる。これより、レンタル床材を高品質かつ安定的に供給できるようになるので、レンタルシステムの確立が可能となる。また、例えば、床材に所定のデザインが印刷されたデザイン付のレンタル床材であって、かつ、印刷媒体及びその上に積層されるコーティング剤が超音波洗浄によって除去されるものであれば、摩擦等によってデザインの視認性が劣化あるいは消えてしまっても、同じデザインを復元し、レンタル先に敷設することができる。あるいは、異なるデザインをプリントして敷設することも可能であり、さらに、同場所あるいは異なる場所に敷設することが可能である。
【００１７】
本発明の収納籠によれば、洗浄槽内での床材同士の密着を防止した洗浄が可能になり、洗浄ムラを防いで、短時間で良好な洗浄効果を得ることができる。
【００１８】
本発明の超音波洗浄装置によれば、床材同士に適宜間隔をおいて洗浄可能となり、洗浄液が各床材にいきわたり易く洗浄ムラを防ぐことができる。
【００１９】
本発明のレンタル床システムによれば、レンタル床材を収納した収納籠を超音波洗浄装置の洗浄槽に設置し、超音波を洗浄槽内で発生させてレンタル床材の洗浄を行い、収納籠ごと他の洗浄槽に移して洗浄液を洗い流した後温風を吹き付けて乾燥させ、さらに各レンタル床材表面にコーティングを施すことによりレンタル床材として再利用を可能にするものであるから、敷設場所からの回収、洗浄、コーティング、再設置までの一連の作業をシステム化することができる。
【００２０】
また、本発明のレンタル床システム及び床材のレンタル方法によれば、床材に文字、図形、記号、若しくはこれらの結合またはこれらと色彩との結合からなる所定のデザインをプリントすることで、床材として汎用性をもたせることができる。また、レンタル床の導入場所において、タイムリーに宣伝内容を変更できたり、広告媒体として利用することも可能となる。
【発明を実施するための最良の形態】
【００２１】
以下、本発明の実施の形態について、図面を参照して説明する。
まず、本発明に係る超音波洗浄装置の第１の実施の形態を図面に基づいて説明する。
図１及び図２に示す超音波洗浄装置６１は、一般的に使われている周知のものであって、超音波洗浄槽７１を備えているものとする。そして超音波洗浄槽７１には、回収されたメンテナンス床材及びレンタル床材（以下、単に床材１ということがある）を収納した収納籠３０を数籠設置できる構成となっている。前記超音波洗浄槽７１の下方には、超音波振動子１０が設けられている。さらに超音波洗浄槽７１の内側には、超音波洗浄槽７１内の水量を検知するフロートスイッチ７２が設けられている。
【００２２】
前記収納籠３０は、図１及び図３に示すように有底角筒体をなしており、側部は図２に示すように網状に形成されている。収納籠３０の底部には保持部５０が設けられている。前記保持部５０は、Ｕ字形をなした複数の棒状体５０Ａで構成されており、前記棒状体５０Ａの湾曲部５２は、一方の直線部５１との接続端を始点とし、弧を描いて他方の直線部５１につながっている。さらに、湾曲部５２を上方にして棒状体５０Ａを垂直に起こした状態で両直線部５１の基端を収納籠３０の底部に固定して設けられている。図３に示すように各棒状体５０Ａは間隔をおいて水平方向に並べて配置し、その間隔は床材１の厚みよりも広く設定されている。例えば、床材１が１０ｍｍの間隔で設置され、一籠に１０枚程度の床材１を収納できるように構成されている。
さらに、収納籠３０の上部には蓋部３１ｂが設けられており、図３の二点鎖線で示すように旋回軸を中心に開閉自在になっている。
【００２３】
上記の構成からなる収納籠３０において、図３に示すように床材１を各保持部５０の間に１枚ずつ収納していく。そして蓋部３１ｂを閉めて超音波洗浄槽７１に設置し、床材１を洗浄液に浸す。その後超音波振動子１０から超音波を発振させ、洗浄液を振動させて床材１を洗浄する。そして洗浄液を洗い流して乾燥させ、床材１の表面にコーティングを施して再レンタルする。以上より、洗浄槽７１内での床材１は互いに間隔をおいて保持されるので、洗浄、濯ぎ、乾燥の効果が高まる。さらに超音波洗浄装置６１に収納籠３０を設置できるので作業時間を短縮することができ、また作業効率を向上させることができる。
【００２４】
次に、本発明に係る超音波洗浄装置の第２の実施の形態を図面に基づいて説明する。
図４及び図５に示す超音波洗浄装置６は、一般的に使われている周知のものであって、少なくとも、洗浄槽７、濯ぎ槽１１、乾燥槽１３を備えているものとする。そして各槽には、回収されたメンテナンス床材及びレンタル床材（以下、単に床材１ということがある）を収納した収納籠３を設置できる構成となっている。
【００２５】
図６から図１１に示すように、超音波洗浄装置６に設置される収納籠３は、上記と同様に有底角筒体をなしており、側部が網状に形成されている。収納籠３における底部３ａの内面３Ａには保持部４が設けられている。
前記保持部４は、断面が直角三角形を有する複数の柱状体４１から構成されている。そして、各柱状体４１は仕切り板５を引く方向に斜面４１ａを向けて、柱状体４１の２つの直交面のうち一方の面４１ｂが内面３Ａと垂直になるようにし、側部３ｄと平行に等間隔をおいて設置されている。この間隔、つまり内面３Ａ側における柱状体４１同士の間隔は、床材１の厚みに合わせた間隔となっている。
【００２６】
これに対し、仕切り板５側における柱状体４１同士の間隔は、前記内面３Ａ側における間隔よりも広くなっている。すなわち、隣り合う柱状体４１の一方の斜面４１ａと他方の面４１ｂとの間隔は、内面３Ａ側から柱状体４１の先端に向うに従い、次第に広がっている。
図６及び図７に示すように、側部３１は、着脱自在な蓋部３ｂを備えている。前記蓋部３ｂを閉めたときに、前記蓋部３ｂと、底部３ａと連結される側部３ｄとの間には、仕切り板５を抜差しするための隙間３ｃが形成される。
側部３１に対向する側部３２には、床材１を保持部４に収納する際に（図１１参照）、前記床材１が前記側部３２に密着することを防ぐため、前記側部３２と底部３ａとが交差してなる角部の内面側に斜面３２ａが形成されている。
【００２７】
上記の構成からなる収納籠３において、床材１を収納する場合には図７に示すように、蓋部３ｂが設けられた側部３１が上にくるように倒す。そして、上部にきた蓋部３ｂを取り外し、床材１を垂直方向に積み重ねていく。このとき、仕切り板５は保持部４と床材１の間に垂直に立てた状態で設置しておく。
床材１を適宜枚数積み重ねたところで蓋部３ｂをし、図８から図１０に示すように、柱状体４１が下になるよう収納籠３を起こして仕切り板５を引き抜いていくと、保持部４の斜面４１ａに沿って床材１が次々と落下していき、保持部４に各床材１を収めることができる。このとき、隣り合う床材１は離され、互いに間隔をおいて保持部４に保持される。また、床材１が落下する際、内面３Ａ側の保持部４の間隔に対して仕切り板５側の保持部４の間隔の方が広くなっているため、床材１が入り込み易い。
【００２８】
図４に示すように、超音波洗浄装置６は、装置内に洗浄槽７、濯ぎ槽１１、乾燥槽１３を備えており、上述した収納籠３は各槽に着脱自在に設置される構成になっている。
図５に示すように、洗浄槽７には複数の収納籠３を収められる構成になっており、床材１は洗浄液で全面浸される。
図１２に示すように、洗浄槽７には超音波振動子１０が設けられており、さらに洗浄液を循環させるためのポンプ９と汚れを除去するためのフィルター８が備え付けられている。洗浄液の流れは実線矢印で表してある。
次いで図１３に示すように、濯ぎ槽１１には、槽内に前記洗浄液を洗浄する第２の洗浄液を噴射するためのノズル１２と前記第２の洗浄液を循環させるためのポンプ９が備えられている。第２の洗浄液の流れは実線矢印で表してある。
さらに図１４に示すように、乾燥槽１３には、熱風ヒータ１４の後部に熱風ブロア１５が設けられている。気流の流れは実線矢印で表している。
【００２９】
上記の構成からなる超音波洗浄装置６において、上述したように、床材１を収納した収納籠３を洗浄槽７に設置し、洗浄槽７に設けられている超音波振動子１０から超音波を発振させ、洗浄液を振動させて床材１を洗浄する。次いで、前記洗浄槽７で洗浄された床材１を収納籠３ごと濯ぎ槽１１に移し、ノズル１２から洗浄液を噴射させて床材１を濯ぐ。その後、さらに乾燥槽１３に移し、ヒータ１４の後部からブロア１５で風を吹き付けると、槽内に熱風が供給されるので、床材１を短時間で乾燥させることができる。以上より、作業時間を短時間にすることができ、作業の高効率化を図ることができる。
【００３０】
次に、本発明に係る床材のメンテナンス方法の第１の実施形態について図１５に基づいて、適宜図７から図１０を参照しながら説明する。
メンテナンス床材（以下、床材１）を建物の床下躯体面に接着剤を用いることなく敷設し（ステップ１）、一定期間経過または汚損した場合、あるいは洗浄が必要になった場合に床材１を回収する（ステップ３）。回収された床材１を収納籠３に適宜枚数収納し（ステップ５、図７）工場に搬送し（ステップ７）、収納籠３を底部３ａが下になるように起こして（図８）床材１を収納籠３に設けられた保持部４に収める（図９、図１０）。そして、収納籠３ごと超音波洗浄装置６の洗浄槽７に据付け（ステップ９）、超音波によって床材１を洗浄し（ステップ１１）、次いで収納籠３ごと濯ぎ槽１１に移して床材１に付着した洗浄液を洗い流す（ステップ１３）。さらに、床板１を収納籠３ごと乾燥槽１３に移して乾燥（ステップ１５）を行った後、各床材１の表面にコーティングを施す（ステップ１７）。これにより耐久性が高まり、長期に美観を維持することができる。このような方法によって再利用する（ステップ１９）ことが可能になる。
【００３１】
このように構成された床材のメンテナンス方法においては、床材１の耐久性が高められ、新品同等の美観に回復できるとともに、その状態を長期に維持することができるので、従来の方法と比べると床材１の掃除・メンテナンス費用の削減を図ることができる。そして、再利用（ステップ１９）が可能なため、資源を有効に活用することができ、環境に配慮したものとなっている。また、床材１を建物の床下躯体面に敷設する際、接着剤を用いることなく敷設されるので、敷設（ステップ１）、回収（ステップ３）を短時間で容易に行うことができる。
【００３２】
さらに、収納籠３に備え付けられている保持部４により、床材１同士を等間隔をおいて保持することができるので、洗浄（ステップ１１）を行う際には、各床材１の全体に洗浄液がいきわたるので汚れが落ち易く、濯ぎ（スッテップ１３）を行う際には、各床材１にノズル１２から噴射された洗浄液が各床材１の全体に届くので濯ぎやすく、さらに乾燥（ステップ１５）を行う際には、熱風を各床材１の全体に吹き付けることができるので、短時間で乾燥させることができる。このように、短時間で確実に各作業を行うことが可能となる。
【００３３】
次に、本発明に係るレンタル床システムを用いた第１の実施形態の床材のレンタルシステムについて図１６に基づいて説明する。
レンタル床材（以下、床材１）を、建物の床下躯対面に接着剤を用いることなく敷設し（ステップ２１）、新築、改装等の場合の他、一定期間経過または汚損した場合、あるいは洗浄が必要になった場合に床材１を回収する（ステップ３）。この後の手段については上述と同じであるので説明を省略する。このような手段によって、再び床材１として利用することができる（ステップ２２）。
このように構成されたレンタル床システムにおいては、床材１をレンタルすることで前記床材１にかかる初期投資を削減でき、必要なときに必要な分だけレンタルすることが可能である。このとき、敷設場所は同場所であっても他の敷設場所であってもよい。
【００３４】
以上、本発明に係る床材のメンテナンス方法及びレンタル床システムによれば、収納籠３は洗浄槽７に設置可能に構成され、濯ぎ槽１１、乾燥槽１３においても同様に設置可能なため、少ない負担で迅速かつ容易に作業を行うことができる。また、収納籠３は網目状に形成されているので、網目から洗浄液が流入して洗浄槽７内に洗浄液が満たされている場合でも、収納籠３の設置をスムーズに行うことができる。さらに、この実施形態における超音波洗浄装置６は、洗浄槽７に複数の収納籠３を並べて収納可能であるため、一度に多くの床材１を洗浄することができ、作業効率が向上する。さらに床材１の美観を経済的にかつ長期的に維持、管理することができる。
【００３５】
次に、本発明に係る床材のレンタル方法の第２の実施形態について図１７に基づいて説明する。
敷設（ステップ２１）されたレンタル床（以下、床材１）は、ダンボール等で回収（ステップ３）し、工場に搬送する（ステップ５）。この後、乾燥（ステップ１５）までの手段は上述と同じであるので説明を省略する。ただし、ステップ７では、図１から図３に示した収納籠３０に床材１を収納するものとする。
本実施の形態では、洗浄、濯ぎ、乾燥の各工程を経た後、床材１に文字、図形、記号、若しくはこれらの結合またはこれらと色彩との結合からなる、例えばイメージ訴求を目的とした所定のデザインをプリントし（ステップ１６）、その表面にコーティングを施す（ステップ１７）。これらデザインプリントに用いる印刷媒体及びコーティング剤は、超音波で洗浄したときに落ちるものを使用する。これにより一定期間使用後、あるいは、プリントされたデザインに損傷が生じた場合、上述した方法によって床材１を洗浄し、床材１を無地の状態に戻してデザインの書換えを行うことができる。その後、再び床材１としてレンタル先に敷設する（ステップ２２）。このとき、敷設場所は同場所であっても他の敷設場所であってもよい。
【００３６】
このように構成された床材のレンタル方法によれば、プリントが摩擦などにより消えてしまったり、かすれてしまったとしても新しく書換えることが可能となる。さらに何度でも書換えることができるので、広告媒体として有効に活用することができる。その際、同じデザインを復元してもよいし、あるいは異なるデザインにしてもよい。特に、異なるデザインにした場合には、床材１の導入店舗などに、タイムリーに宣伝内容を変更することのできる、いわゆるセールスプロモートタイルの提供が可能となる。
【００３７】
尚、本発明は上述した実施の形態に限られるものではなく、例えば、床材１の保持部４の先端における断面形状は、床材１を傷つけないように丸みを帯びたものにしてもよい。また、上述の実施の形態によれば、収納籠３に複数の柱状体４１を設置して保持部４を構成するようにしたが、床材１の厚みに合わせた間隔をおいて、柱状体４１を一体とした構成にしてもよく、さらに底部３ａから取り外し可能にしてもよい。このとき、床材１の厚みに合わせて保持部４をいくつか用意しておくと、作業効率の向上を図ることができる。
また、上記実施例における構成は一例であり、発明の要旨を逸脱しない範囲で種々の変更が可能であることはいうまでもない。
【図面の簡単な説明】
【００３８】
【図１】本発明の一実施の形態における超音波洗浄装置の正面図である。
【図２】本発明の一実施の形態における超音波洗浄装置の側面図である。
【図３】本発明の一実施の形態におけるレンタル床材を収納した収納籠の側断面図である。
【図４】本発明の一実施の形態における超音波洗浄装置の全体図である。
【図５】本発明の他の実施の形態における収納籠を図４に示す超音波洗浄装置の洗浄槽に数籠据付けた場合の立面図である。
【図６】図５に示す収納籠の立面図である。
【図７】図６に示す収納籠にレンタル床材を収納する工程を示す図である。
【図８】図７に次いで、収納籠を起こしたときの側断面図である。
【図９】図８に次いで、仕切り板を引いてレンタル床材を保持部に収容する工程を示す図である。
【図１０】図９に次いで、収納籠の保持部にレンタル床材を保持させたことを示す図である。
【図１１】図６に示す収納籠の保持部の拡大図である。
【図１２】図４に示す超音波洗浄装置の洗浄槽の断面図である。
【図１３】図４に示す超音波洗浄装置の濯ぎ槽の断面図である。
【図１４】図４に示す超音波洗浄装置の乾燥槽の断面図である。
【図１５】本発明の一実施の形態における床材のメンテナンス方法のフローチャートである。
【図１６】本発明の第１の実施の形態における床材のレンタルシステムのフローチャートである。
【図１７】本発明の第２の実施の形態における床材のレンタル方法のフローチャートである。
【符号の説明】
【００３９】
１      床材（レンタル床材）
３      収納籠
４      保持部
６      超音波洗浄装置
７      洗浄槽
３０    収納籠
５０    保持部
６１    超音波洗浄装置
７１    超音波洗浄槽
【図１】
2005324136.tif 000003
【図２】
2005324136.tif 000004
【図３】
2005324136.tif 000005
【図４】
2005324136.tif 000006
【図５】
2005324136.tif 000007
【図６】
2005324136.tif 000008
【図７】
2005324136.tif 000009
【図８】
2005324136.tif 000010
【図９】
2005324136.tif 000011
【図１０】
2005324136.tif 000012
【図１１】
2005324136.tif 000013
【図１２】
2005324136.tif 000014
【図１３】
2005324136.tif 000015
【図１４】
2005324136.tif 000016
【図１５】
2005324136.tif 000017
【図１６】
2005324136.tif 000018
【図１７】
2005324136.tif 000019